(57)【特許請求の範囲】
【請求項１】
前板と後板と左右の側板からなる胴部と、前板の上縁に連設される蓋板と、蓋板の先端部に設けられる差込フラップとを有し、蓋板の差込フラップを後板の内側に差込み可能にし、
後板の上縁の側の一部であって、該後板のその他の部分から切取り可能に設けられた係止片と、蓋板の差込フラップに設けられてその幅方向へ延びるスリットとを有し、該差込フラップを後板の内側に差込むとき、係止片の上端係止部を該差込フラップの外側面からスリットに挿入し、該係止片の上端係止部に該スリットのエッジを係止させて蓋板を閉止可能にするとともに、
蓋板の差込フラップのスリットのエッジと係止している係止片を後板のその他の部分から切取り、蓋板を開封可能にする包装箱であって、
蓋板の差込フラップに設けられるスリットが、その幅方向の中央部に設けられ、先端側に向けて凸状をなす凸状スリット部と、凸状スリット部の幅方向の両側から水平に延びる水平スリット部と、該凸状スリット部の幅方向の両側から該水平スリット部に対して鋭角をなして斜め先端側に延びる斜行スリット部とを有し、
差込フラップの凸状スリット部に沿って画成される凸片部が、係止片の上端係止部をスリットに挿入するときのガイドになり、差込フラップの水平スリット部のエッジを係止片の上端係止部に係止させて蓋板を閉止可能にする包装箱。
【請求項２】
前記後板に設けられる係止片が、後板のその他の部分に切取り可能に接合される切取り可能部と、切取り可能部の幅方向の中央上部に連結される上端係止部とからなり、
上端係止部が、切取り可能部の幅方向の中央上部との連結部と、この連結部の幅方向の両側から水平に延びる水平切込部と、両側の水平切込部の連結部に対する外側端同士を結ぶ膨出状曲線とで囲まれる舌片状をなし、
差込フラップの水平スリット部のエッジを係止片における上端係止部の水平切込部のエッジに係止させて蓋板を閉止可能にする請求項１に記載の包装箱。
【請求項３】
前記係止片は、前記上端係止部において、両側の水平切込部の連結部に対する内側端から該水平切込部に対して斜め上方に延びる斜行切込部を有し、係止片において、上端係止部の両側の水平切込部のそれぞれと各斜行切込部に沿って両翼片を画成している請求項２に記載の包装箱。
【発明の詳細な説明】
【技術分野】
【０００１】
本発明はバージンロック機能付きの包装箱に関する。
【背景技術】
【０００２】
バージンロック機能付きの包装箱として、特許文献１に記載の如く、第１〜第４側壁と、第１側壁の上端縁に連設された頂壁と、底部開口を閉じる底壁とを有する六面体の物品収納容器であり、頂壁が、自由端縁と、自由端縁に連設された係止片とを有し、第２側壁が、その上端縁近傍に形成されたスリットと、スリットから容器の下方へ向かって形成された開閉窓とを有し、係止片をスリットから容器の内側へ挿入すると、係止片の先端部が容器の内側に係合し、開閉窓を第２側壁の外側へ旋回させると、スリットにつながって係止片の先端部を容器の外側へ引き出すことが可能な開口が形成されるものがある。この包装箱は、頂部開口を頂壁の回転によって開封したとき、頂壁に連設されている係止片と容器との係合（バージンロック）を解除するため、開閉窓を第２側壁から切り離さなければならず、バージンロックを解除した開閉窓の切り離しが容器の外観に表れることで容器が開封済であることがわかる。
【０００３】
ところが、特許文献１に記載の包装箱では、容器のバージンロックを解除して開封する作業が、開閉窓を第２側壁から切り離して外側へ旋回させる工程と、係止片を第２側壁に形成されているスリットから引き出す工程の複数の工程からなり、迅速に欠ける。
【０００４】
従来の他のバージンロック機能付きの包装箱として、図１０に示す如く、後板２の上縁の側の一部であって、該後板２のその他の部分から切取り可能に設けられた係止片３と、前板１に連設されている蓋板４の差込フラップ５に設けられてその幅方向へ延びるスリット６とを有し、該差込フラップ５を後板２の内側に差込み、係止片３の上端係止部３Ａを差込フラップ５の外側面からスリット６に挿入したとき、該差込フラップ５の内側面に挿入された係止片３の上端係止部３Ａの両側に設けてある水平切込部３Ｂに該差込フラップ５のスリット６を係止させて蓋板４を閉止可能にするものがある。
【０００５】
この包装箱では、蓋板４の差込フラップ５のスリット６と係止している係止片３を後板２のその他の部分から切取れば、蓋板４のバージンロックを解除して該蓋板４を直ちに開封できる。
【０００６】
尚、この包装箱では、蓋板４の差込フラップ５に設けられるスリット６が、その幅方向の中央部に設けられ、先端側に向けて凸状をなす凸状スリット部７と、凸状スリット部７の幅方向の両側から水平に延びる水平スリット部８とを有するものにしている。そして、差込フラップ５の凸状スリット部７に沿って画成される凸片部７Ａが、係止片３の上端係止部３Ａをスリット６の凸状スリット部７、ひいては水平スリット部８に挿入するときのガイドになり、差込フラップ５の水平スリット部８のエッジを係止片３の上端係止部３Ａのエッジに係止させて蓋板４を閉止可能にするものである。
【先行技術文献】
【特許文献】
【０００７】
【特許文献１】特開2003-160127
【発明の概要】
【発明が解決しようとする課題】
【０００８】
しかしながら、図１０に示した従来のバージンロック機能付きの包装箱では、差込フラップ５を後板２の内側に差込み、係止片３の上端係止部３Ａを差込フラップ５の外側面から凸片部７Ａによりその内側面の側にガイドしつつ、差込フラップ５の凸状スリット部７、ひいては水平スリット部８に挿入するとき、係止片３の上端係止部３Ａの挿入が進むにつれて凸片部７Ａがまくれ上がる如くになり、凸状スリット部７、ひいては水平スリット部８のスリット隙間が拡大するものになる。係止片３の上端係止部３Ａを差込フラップ５の水平スリット部８に挿入したときに、水平スリット部８のスリット隙間が過度に拡大していると、該水平スリット部８のエッジが上端係止部３Ａのエッジに係止しにくいものになり、蓋板４を閉止できない。
【０００９】
本発明の課題は、バージンロック機能付きの包装箱において、蓋板を確実にバージンロックさせて閉止することにある。
【課題を解決するための手段】
【００１０】
請求項１の発明は、前板と後板と左右の側板からなる胴部と、前板の上縁に連設される蓋板と、蓋板の先端部に設けられる差込フラップとを有し、蓋板の差込フラップを後板の内側に差込み可能にし、後板の上縁の側の一部であって、該後板のその他の部分から切取り可能に設けられた係止片と、蓋板の差込フラップに設けられてその幅方向へ延びるスリットとを有し、該差込フラップを後板の内側に差込むとき、係止片の上端係止部を該差込フラップの外側面からスリットに挿入し、該係止片の上端係止部に該スリットのエッジを係止させて蓋板を閉止可能にするとともに、蓋板の差込フラップのスリットのエッジと係止している係止片を後板のその他の部分から切取り、蓋板を開封可能にする包装箱であって、蓋板の差込フラップに設けられるスリットが、その幅方向の中央部に設けられ、先端側に向けて凸状をなす凸状スリット部と、凸状スリット部の幅方向の両側から水平に延びる水平スリット部と、該凸状スリット部の幅方向の両側から該水平スリット部に対して鋭角をなして斜め先端側に延びる斜行スリット部とを有し、差込フラップの凸状スリット部に沿って画成される凸片部が、係止片の上端係止部をスリットに挿入するときのガイドになり、差込フラップの水平スリット部のエッジを係止片の上端係止部に係止させて蓋板を閉止可能にするものである。
【図面の簡単な説明】
【００１１】
【図１】図１は実施例１の包装箱の物品収容前の蓋開き状態を示す斜視図である。
【図２】図２は包装箱の物品収容後の蓋閉じ状態を示す斜視図である。
【図３】図３は包装箱の展開図である。
【図４】図４は蓋開き状態を示し、（Ａ）は正面図、（Ｂ）は（Ａ）のB−B線に沿う模式断面図、（Ｃ）は（Ａ）の要部拡大図である。
【図５】図５は蓋閉じ状態を示し、（Ａ）は正面図、（Ｂ）は（Ａ）のB−B線に沿う模式断面図である。
【図６】図６は蓋開封状態を示し、（Ａ）は正面図、（Ｂ）は（Ａ）のB−B線に沿う模式断面図である。
【図７】図７は蓋再封状態を示し、（Ａ）は正面図、（Ｂ）は（Ａ）のB−B線に沿う模式断面図、（Ｃ）は（Ａ）の要部拡大図である。
【図８】図８は実施例２の包装箱の展開図である。
【図９】図９は蓋開き状態を示す正面図である。
【図１０】図１０は従来例の包装箱を示す斜視図である。
【発明を実施するための形態】
【００１２】
（実施例１）（図１〜図７）
図１、図２に示したバージンロック機能付き包装箱１０は、図１に示す蓋開き状態において物品を収容した後、図２に示す蓋閉じ状態を後述する如くにバージンロックし、このバージンロックを解除して蓋開封可能にするものである。
【００１３】
包装箱１０は、板紙、プラスチックシート、又は紙とプラスチックの複合シート等から打ち抜かれた図３に示す如くの展開素材から製作される。素材としては後述する開封時の切り易さの点から紙が好ましいが、プラスチックシート等でも延び易い、或いは裂け易い素材を用い、或いは開封補助のミシン目等を採用することで、本発明の目的を達することができる。尚、本明細書では、包装箱１０を水平面上においた蓋閉じ状態で、水平面上にて相直交する一方を前後、他方を左右と称し、水平面に対して直交する鉛直方向に沿う上方を上、下方を下と称する。尚、素材の展開状態でいう各部の左右、上縁、下縁とは、この素材が組立てられた包装箱の状態で、各部の左右、上縁、下縁を構成することとなるものを左右、上縁、下縁という。
【００１４】
包装箱１０は、前板１１の左右両側に折目１３Ａ、１４Ａを介して左右の側板１３、１４を連設し、左側板１３に折目１２Ａを介して後板１２を連設し、後板１２に折目１５Ａを介して糊付片１５を連設する。各板１１、１２、１３、１４を角柱状に折曲げ、右側板１４の内側面に糊付片１５を接着して胴部１０Ａを形成する。
【００１５】
包装箱１０は、前板１１の上縁に折目２１Ａを介して蓋板２１を連設し、蓋板２１の先端部に折目２２Ａを介して差込フラップ２２を設け、左右の側板１３、１４の上縁に折目２３Ａ、２４Ａを介して左右の内フラップ２３、２４を連設する。
【００１６】
包装箱１０は、前板１１の下縁に折目２５Ａを介して底板２５を連設し、後板１２の下縁に折目２６Ａを介して底板２６を連設する。包装箱１０は、左右の側板１３、１４の下縁に折目２７Ａ、２８Ａを介して内フラップ２７、２８を連設する。
【００１７】
包装箱１０は、胴部１０Ａの開口１０Ｂを後述する如くに蓋板２１等で閉じた蓋閉じ状態を少なくとも１回開封したとき、この開封の痕跡を外観に残すため、蓋板２１等に下記(A)の係止片３０と(B)のスリット４０によるバージンロック機能を備える。
【００１８】
(A)包装箱１０は、後板１２の上縁の側の中央の一部であって、後板１２のその他の部分から切取り可能に設けられた係止片３０を有する。係止片３０は、左右線対称形状をなし、図４〜図７に示す如く、後板１２のその他の部分とミシン目３１Ａを介して切取り可能に接合される切取り可能部３１と、切取り可能部３１の幅方向の中央上部に連結される上端係止部３２とからなる。上端係止部３２は、切取り可能部３１の幅方向の中央上部との連結部３２Ａと、この連結部３２Ａの幅方向の左右両側から水平に延びる水平切込部３２Ｂ、３２Ｂと、両側の水平切込部３２Ｂ、３２Ｂの連結部３２Ａに対する外側端同士を結ぶ膨出状曲線３２Ｃとで囲まれる舌片状をなす。上端係止部３２の膨出状曲線３２Ｃは、本実施例では外方に凸の円弧状をなす。
【００１９】
更に、係止片３０は、上端係止部３２において、両側の水平切込部３２Ｂ、３２Ｂの連結部３２Ａに対する内側端から該水平切込部３２Ｂに対して鈍角αをなす斜め上方に長さＬ延びる斜行切込部３３Ａを有する。係止片３０において、上端係止部３２の両側の水平切込部３２Ｂ、３２Ｂのそれぞれと各斜行切込部３３Ａに沿って両翼片３３（図４（Ｃ））を画成し、係止片３０の上端係止部３２を差込フラップ２２のスリット４０に挿入したとき、両翼片３３を切取り可能部３１との連結部３２Ａに対して屈曲変形し易くし、差込フラップ２２のスリット４０のエッジが係止片３０の上端係止部３２の屈曲状翼片３３を画成する水平切込部３２Ｂのエッジに確実に係止し得るようにしたものである。係止片３０の切取り可能部３１及び上端係止部３２の翼片３３を除く部分が面一の平板状をなすものにし、両翼片３３がそれらの平板状の面に対する法線方向に屈曲変形し易くなるようにしたものである。
【００２０】
係止片３０の上端係止部３２における斜行切込部３３Ａの上述のαの好適値は、90〜170度、より好ましくは150度であり、Ｌの好適値は1〜7mm、より好ましくは2〜4mmである。αが90度以下、Ｌが7mmを超える場合には、係止片３０の上端係止部３２を差込フラップ２２のスリット４０に挿入するとき、両翼片３３が過度に屈曲変形して折れてしまうおそれがある。
【００２１】
また、係止片３０は、上端係止部３２の両側の水平切込部３２Ｂ、３２Ｂの外側端が、切取り可能部３１の幅方向の中央部よりも外方にまで延在されてなるようにしている。このとき、上端係止部３２の両側の水平切込部３２Ｂ、３２Ｂの外側端は上端係止部３２の幅方向の両端を形成し、上端係止部３２の幅は切取り可能部３１の幅よりも広幅をなす。
【００２２】
そして、後板１２は、上端係止部３２の両側の水平切込部３２Ｂ、３２Ｂの外方にまで延在された外側端から、下方に延びる下方切込部３２Ｄを設けられている。本実施例の下方切込部３２Ｄは、水平切込部３２Ｂの外方端から延在されるＬ字状（水平切込部３２Ｂにつながる水平部と、その水平部の端から下方へ延びる部分とからなる）をなしている。
【００２３】
(B)包装箱１０は、蓋板２１の差込フラップ２２の中央部に設けられてその幅方向（左右方向）へ延びるスリット４０を有する。スリット４０は、左右線対称形状をなし、図４〜図７に示す如く、その幅方向の中央部に設けられ、先端側に向けて凸状をなす凸状スリット部４１と、凸状スリット部４１の幅方向の両側から水平に延びる水平スリット部４２とを有する。
【００２４】
更に、蓋板２１の差込フラップ２２に設けられるスリット４０は、凸状スリット部４１の幅方向の両側から水平スリット部４２に対して鋭角βをなす斜め先端側に延びる斜行スリット部４３を有する。
【００２５】
差込フラップ２２の凸状スリット部４１に沿って画成されてＶ字状外郭をなす凸片部４１Ａが、係止片３０の上端係止部３２を後述する如くにスリット４０に挿入するときのガイドになる。そして、差込フラップ２２の水平スリット部４２のエッジを係止片３０の上端係止部３２の水平切込部３２Ｂのエッジに係止させて蓋板２１を閉止可能にするものである。
【００２６】
包装箱１０は、以上の素材により以下の如くに組立てられ、図１に示す蓋開き状態の箱体を形成する。
【００２７】
(1)素材の各板１１、１２、１３、１４を角柱状に折曲げ、右側板１４の内側面に糊付片１５を接着して胴部１０Ａを形成する。胴部１０Ａの上端に開口１０Ｂを形成する。
【００２８】
(2)胴部１０Ａの下端の開口に内フラップ２７、２８を折込み配置し、この内フラップ２７、２８の外側に折込み重ねた底板２５、２６を互いに係合かつ接着して底部１０Ｃを形成する。
【００２９】
以下、包装箱１０の使用方法について説明する。
(1)図１、図４に示す蓋開き状態の包装箱１０の内部に物品を収容する。即ち、包装箱１０の蓋板２１及び内フラップ２３、２４を開口１０Ｂの外方に開き、この開口１０Ｂから物品を装填する。
【００３０】
(2)包装箱１０を図２、図５に示す如くにバージンロックされた蓋閉じ状態とする。即ち、胴部１０Ａの開口１０Ｂに内フラップ２３、２４を折込み配置し、この内フラップ２３、２４の外側に折込み重ねた蓋板２１の差込フラップ２２を、後板１２の内側面と内フラップ２３、２４の後縁２３Ｂ、２４Ｂの間の間隙Ｇ（図４）に差込む。
【００３１】
この(2)による蓋板２１の差込フラップ２２の差込み過程で、図５に示す如く、係止片３０の上端係止部３２を差込フラップ２２の外側面から該差込フラップ２２のスリット４０に挿入し、係止片３０の上端係止部３２に該スリット４０のエッジを係止させて蓋板２１を閉止、換言すればバージンロックする。係止片３０の上端係止部３２を差込フラップ２２のスリット４０に挿入するとき、上端係止部３２の膨出状曲線３２Ｃの円弧頂部が差込フラップ２２の前述した凸片部４１Ａの内側面に誘い込まれ、該上端係止部３２をスリット４０の凸状スリット部４１、ひいては水平スリット部４２に挿入ガイドするものになる。蓋板２１の差込フラップ２２の差込みが完了したと同時に、係止片３０の上端係止部３２が水平切込部３２Ｂまで差込フラップ２２の水平スリット部４２に挿入され、スリット４０の水平スリット部４２の下側エッジが上端係止部３２の水平切込部３２Ｂのエッジに係止されて上述のバージンロックを形成するものになる。
【００３２】
(3)前述(1)で装填された物品の取出しに際しては、図６に示す如く、蓋板２１の差込フラップ２２のスリット４０のエッジと係止している係止片３０を、後板１２のその他の部分から切取って離すことによりバージンロックを解除し、蓋板２１を開封可能にする。係止片３０がバージンロックを解除するために切り離された痕跡が包装箱１０の外観に表れて包装箱１０が開封済であることがわかる。係止片３０は、切取り可能部３１のミシン目３１Ａにおいて後板１２のその他の部分から切り離される。
【００３３】
(4)蓋板２１の上述(3)の開封後に、図７に示す如く、蓋板２１の差込フラップ２２を後板１２の内側面と内フラップ２３、２４の後縁２３Ｂ、２４Ｂの間の間隙Ｇに差込んで蓋板２１を再封する。このとき、差込フラップ２２のスリット４０のエッジに係止している上述(3)の係止片３０において、差込フラップ２２のスリット４０から内側に入っている上端係止部３２は、内フラップ２３、２４の内側面に衝合し、蓋板２１の自由な開放が制止される。
【００３４】
本実施例によれば以下の作用効果を奏する。
（請求項１）
(a)蓋板２１の差込フラップ２２のスリット４０のエッジと係止している係止片３０を後板１２のその他の部分から切取れば、蓋板２１のバージンロックを解除して該蓋板２１を直ちに開封できる。
【００３５】
(b)蓋板２１の差込フラップ２２に設けられるスリット４０が、その幅方向の中央部に設けられ、先端側に向けて凸状をなす凸状スリット部４１と、凸状スリット部４１の幅方向の両側から水平に延びる水平スリット部４２と、凸状スリット部４１の幅方向の両側から水平スリット部４２に対して鋭角βをなす斜め先端側に延びる斜行スリット部４３とを有する。従って、差込フラップ２２を後板１２の内側に差込み、係止片３０の上端係止部３２を差込フラップ２２の外側面から、該差込フラップ２２の凸状スリット部４１に沿って画成されている凸片部４１Ａによりその内側面の側にガイドしつつ、差込フラップ２２の凸状スリット部４１、ひいては水平スリット部４２に挿入するとき、係止片３０の上端係止部３２の挿入が進むにつれて凸片部４１Ａがまくれ上がり、凸状スリット部４１のスリット隙間が拡大しても、このスリット隙間の拡大は斜行スリット部４３の存在によって遮断され、水平スリット部４２にまで及ぶことがない。係止片３０の上端係止部３２を蓋フラップ２２の水平スリット部４２に挿入したときに、水平スリット部４２のスリット隙間が適正隙間を維持しており、水平スリット部４２のエッジが上端係止部３２のエッジに確実に係止するものになり、蓋板２１を確実にバージンロックさせて閉止するものになる。
【００３６】
（請求項２）
(c)後板１２に設けられる係止片３０の上端係止部３２が、切取り可能部３１の幅方向の中央上部との連結部３２Ａと、この連結部３２Ａの幅方向の両側から水平に延びる水平切込部３２Ｂと、両側の水平切込部３２Ｂの連結部３２Ａに対する外側端同士を結ぶ膨出状曲線３２Ｃとで囲まれる舌片状をなす。従って、蓋板２１の最初の閉止時に、係止片３０の舌片状上端係止部３２を差込フラップ２２の凸片部４１Ａによりガイドしつつその凸状スリット部４１に容易に挿入できる。そして、差込フラップ２２の水平スリット部４２の下側エッジを、係止片３０の上端係止部３２の水平切込部３２Ｂのエッジに確実に係止させるものである。
【００３７】
尚、本実施例にあっては、係止片３０の上端係止部３２が斜行切込部３３Ａを有し、斜行切込部３３Ａが水平切込部３２Ｂとともに屈曲状両翼片３３を画成するものとしたから、以下の作用効果も奏する。
【００３８】
(d)後板１２に設けられる係止片３０の上端係止部３２が、切取り可能部３１の幅方向の中央上部との連結部３２Ａと、この連結部３２Ａの幅方向の両側から水平に延びる水平切込部３２Ｂと、両側の水平切込部３２Ｂの連結部３２Ａに対する外側端同士を結ぶ膨出状曲線３２Ｃとで囲まれる舌片状をなし、両側の水平切込部３２Ｂの連結部３２Ａに対する内側端から該水平切込部３２Ｂに対して鈍角をなす斜め上方に延びる斜行切込部３３Ａを有するものにした。上端係止部３２の両側の水平切込部３２Ｂと斜行切込部３３Ａに沿って画成される両翼片３３は、切取り可能部３１との連結部３２Ａに対して屈曲変形し易くなる。従って、差込フラップ２２を後板１２の内側に差込み、係止片３０の舌片状上端係止部３２を差込フラップ２２の外側面からスリット４０に挿入したとき、差込フラップ２２の内側に挿入された上端係止部３２の両翼片３３が該差込フラップ２２の内側面から付与される接触力により箱内方へ屈曲される。係止片３０において差込フラップ２２の内側に挿入された上端係止部３２のうちの上述の両翼片３３は、切取り可能部３１と連結されていて該切取り可能部３１との面一を維持するその余の部分に対して箱内方へ屈曲される。従って、係止片３０の上端係止部３２を挿入された差込フラップ２２におけるスリット４０の下側エッジは係止片３０の上端係止部３２のうちの上述の屈曲状両翼片３３を画成する水平切込部３２Ｂのエッジに確実に係止するものになり、蓋板２１を確実にバージンロックさせて閉止するものになる。
【００３９】
尚、包装箱１０を構成する素材は、係止片３０の上端係止部３２において上述した翼片３３の屈曲変形容易性を確保するため、コートボール（坪量270〜300g／m2以上）が好適である。
【００４０】
また、本実施例にあっては、以下の作用効果も奏する。
(e)後板１２に設けられる係止片３０の上端係止部３２における両側の水平切込部３２Ｂの外側端が、切取り可能部３１の幅方向の両端部よりも外方にまで延在される。係止片３０の切取り可能部３１を後板１２のその他の部分から切取ったとき、係止片３０の両側の水平切込部３２Ｂの上記外方への延在部分に対応する水平段部３４（図７（Ｃ））が後板１２の該係止片３０が切取られた部分の両側に残る。蓋板２１の差込フラップ２２を後板１２の内側に差込んで蓋板２１を再封するとき、差込フラップ２２におけるスリット４０の上側エッジが、後板１２の側に残っている上述の水平段部３４に衝合し、蓋板２１の再封位置を定める。
【００４１】
(f)後板１２が、係止片３０の上端係止部３２における両側の水平切込部３２Ｂの外方にまで延在された外側端から下方に延びる下方切込部３２Ｄを設ける。係止片３０の切取り可能部３１を後板１２のその他の部分から切取ったとき、切取り可能部３１に付与される切取り力が後板１２のその他の部分に引裂力として及ぶことを上述の下方切込部３２Ｄが遮断し、後板１２に引裂キズを残すことなく係止片３０を切取りできる。
【００４２】
（実施例２）（図８、図９）
実施例２の包装箱１０が実施例１の包装箱１０と異なる点は、係止片３０の形態にある。実施例２の係止片３０にあっては、上端係止部３２の両側の水平切込部３２Ｂ、３２Ｂの外側端が、切取り可能部３１の幅方向の両端部の内方側に納められている。上端係止部３２の幅が切取り可能部３１の幅よりも狭幅をなす。
【００４３】
また、実施例２の係止片３０にあっては、上端係止部３２が斜行切込部３３Ａを有していない。
【産業上の利用可能性】
【００４４】
本発明は、バージンロック機能付きの包装箱において、蓋板を確実にバージンロックさせて閉止することができる。
【符号の説明】
【００４５】
１０  包装箱
１０Ａ  胴部
１０Ｂ  開口
１１  前板
１２  後板
１３、１４  側板
２１  蓋板
２２  差込フラップ
２３、２４  内フラップ
３０  係止片
３１  切取り可能部
３１Ａ  ミシン目
３２  上端係止部
３２Ａ  連結部
３２Ｂ  水平切込部
３２Ｃ  膨出状曲線
４０  スリット
４１  凸状スリット部
４１Ａ  凸片部
４２  水平スリット部
４３  斜行スリット部
【図１】
0005405249.tif 000002
【図２】
0005405249.tif 000003
【図３】
0005405249.tif 000004
【図４】
0005405249.tif 000005
【図５】
0005405249.tif 000006
【図６】
0005405249.tif 000007
【図７】
0005405249.tif 000008
【図８】
0005405249.tif 000009
【図９】
0005405249.tif 000010
【図１０】
0005405249.tif 000011